(57)【要約】金属薄板または木質板（１８）のような肉薄の壁または肉厚の壁に設けられた長方形の貫通部または切欠き（１６）のように、対向するエッジまたは壁（１４、１１４）を有する貫通部または凹部（１６）内に金具（１２、１１２）または他の物体を取り付けるための緊締可能な固定装置（１０）であって、肉薄または肉厚の壁（１８）の外面に配置される、貫通部または凹部（１６）の外縁（２２）を覆う頭部（２０）を有し、頭部（２０）から、取り付けられた位置で、前記貫通部（１６）を通って突出するか、または凹部内へ突入する脚部（２４）が延びており、脚部から、脚部（２４）の外面の方向に脚部（２４）内に形成された通路（２６）内に、ばね力に抗して、またはばね力によって互いに対して移動可能な保持素子（３０）が突出しており、保持素子（３０）の自由な端部（３２）が、肉薄の壁（１４）の内面（３６）の貫通部（１６）の縁部またはエッジ（１４）で脚部（２４）を遊びなしに支持するための斜面（３４）を有しているか、または前記自由な端部が、肉厚の壁の貫通部または凹部の壁面内に進入するために傾斜して配置された尖端を有しており、脚部（２４）および保持素子（３０）が、独立した部分であり、保持素子（３０）が、有利には円錐状に成形された領域を有するねじ（４４）によって、通路（２６）に沿って移動可能な固定装置が記載されており、保持素子（３０）が、並列に、または代替的に直列に配置された、移動方向に長く延びるプレートであり、該プレートが、一緒に、または代替的に単独で、通路壁と共に、圧縮ばね（２８）のための移動方向に延びる収容室（３８）を形成しており、該圧縮ばね（２８）が、プレート（３０）が停止位置から移動された場合に縮小され、これにより、ばね（２８、１２８）が圧縮され、円錐状に成形された領域を有するねじ（４４）が、円錐状に成形された脚部（４０）を有し、プレート（３０）が、プレートのそれぞれ一端（３４）の近傍に、それぞれ１つの円錐状の脚部（４０）と協働する第１の内傾部（４６）を有し、該内傾部が、プレートの停止位置では互いに対して少しだけ互いにオフセットているが、作業位置へ移動された場合には、互いに逆方向に動くことを特徴としている。
2009526953.tif 000002
【特許請求の範囲】
【請求項１】
金属薄板または木質板（１８、１１８）のような肉薄の壁または肉厚の壁に設けられた長方形の貫通部または切欠き（１６、１１６）のように、対向するエッジまたは壁（１４、１１４）を有する貫通部または凹部（１６、１１６）内に金具（１２、１１２）または他の物体を取り付けるための緊締可能な固定装置（１０、１１０）であって、肉薄または肉厚の壁（１８、１１８）の一方の外面に配置される、貫通部または凹部（１６、１１６）の外縁（２２、１２２）を覆う頭部（２０、１２０）を有し、該頭部（２０、１２０）から、取り付けられた位置で、前記貫通部（１６）を通って突出するか、または前記凹部（１１６）内へ突入する脚部（２４、１２４）が延びており、該脚部から、脚部の外面の方向に脚部（２４、１２４）内に形成された通路（２６、１２６）内に、ばね力に抗して、またはばね力によって互いに対して移動可能な保持素子（３０、１３０）が突出しており、該保持素子（３０、１３０）の自由端（３２、１３２）が、肉薄の壁（１４）の他方の内面（３６）の貫通部（１６）の縁部またはエッジ（１４）で脚部を遊びなしに支持するための斜面（３４）を有しているか、または前記自由端が、肉厚の壁（１１８）の貫通部または凹部（１１６）の壁面（１１４）内に進入するために傾斜して配置された尖端（１３４）を有しており、前記脚部（２４、１２４）および保持素子（３０、１３０）が、独立した部分であり、保持素子（３０、１３０）が、有利には円錐状に成形された領域を有するねじ（４４、１４４）によって、通路（２６、１２６）に沿って移動可能である固定装置において、
保持素子（３０、１３０）が、並列に、または代替的に直列に配置された、移動方向に長く延びるプレートであり、該プレートが、一緒に、または代替的に単独で、通路壁と共に、圧縮ばね（２８、１２８）のための移動方向に延びる収容室（３８、１３８）を形成しており、前記圧縮ばね（２８、１２８）が、プレート（３０、１３０）が停止位置から移動された場合に縮小し、これにより、ばね（２８、１２８）を圧縮し、円錐状に成形された領域を有するねじ（４４、１４４）が、円錐状に成形された脚部（４０、１４０）を有し、プレート（３０、１３０）が、プレートのそれぞれ一端（３４、１３４）の近傍に、円錐状の脚部（４０、１４０）と協働するそれぞれ１つの第１の内傾部（４６、１４６）を有し、該内傾部が、プレートの停止位置では互いに若干オーバーラップした状態でオフセットされているが、作業位置へ移動された場合には、互い逆方向に移動されることを特徴とする緊締可能な固定装置。
【請求項２】
前記肉薄の壁（１８）の場合に、前記プレート（３０）が、それぞれ長手方向の他端（３２）の近傍に、肉薄の壁（１８）内の貫通部（１６）のエッジ（１４）と協働するそれぞれ１つの外傾部（３４）を有し、該外傾部（３４）が、プレート（３０）が互いに対して停止している位置では脚部（２４）の通路（２６）の内部に位置しているが、しかしながら、作業位置にプレートが移動された場合には、前記脚部（２４）の前記通路（２６）から外側に、互いから離れるように移動する、請求項１記載の固定装置。
【請求項３】
前記肉厚の壁（１１８）の場合に、前記プレート（１３０）が、それぞれ長手方向の他端（１３２）の近傍に、前記貫通部または凹部（１１６）の壁（１１４）の近傍で前記肉厚の壁（１１８）と協働する１つ以上の外傾部または歯列（１３４）を有し、該外傾部または歯列（１３４）が、前記プレート（１３０）が互いに対して停止している場合には前記脚部（１２４）の通路（１２６）の内部に位置しているが、しかしながら、作業位置へ移動された場合には、脚部（１２４）の通路（１２６）から外側へ、互いから離れるように移動する、請求項１記載の固定装置。
【請求項４】
前記プレート（３０、１３０）が、それぞれ１つの第２の内傾部（４８、１４８）を形成しており、該内傾部が、第１の内傾部（４６、１４６）に接続しており、これにより、両方の前記斜面（４６、４８、１４６、１４８）が、前記ねじ（４４、１４４）の円錐状の領域（４０、１４０）を収容する自由空間（５０、１５０）を形成する、請求項１から３までのいずれか１項記載の固定装置。
【請求項５】
ねじ（４４、１４４）が、止めねじである、請求項１から４までのいずれか１項記載の固定装置。
【請求項６】
ねじ、特に前記止めねじ（４４、１４４）が、前記頭部（２０、１２０）に形成されたねじ山付き孔（５２、１５２）内に配置されている、請求項１から５までのいずれか１項記載の固定装置。
【請求項７】
ねじ（３４４、４４４）が、脚部に形成されたねじ山付き孔（２５２）内に配置されている、請求項１から５までのいずれか１項記載の固定装置。
【請求項８】
保持素子（３０、３３０）の端部斜面（３４、３３４）が、壁平面（１８、３１８、４１８）に関して傾斜しており（傾斜角５４、４５４）、力成分（５６）が前記壁平面に対して垂直方向に前記壁平面から離れるように向けられている場合には、保持素子（３０、３３０、４３０）が、ばね力（２８、３２８、４２８）に抗して前記壁平面に対して平行な方向に移動される、（セルフロックが生じない、角度はほぼ４５度）、請求項１から７までのいずれか１項記載の固定装置。
【請求項９】
保持素子（１３２、４３０）の端部斜面（２５４、５５４）が、壁平面（１８）に関して傾斜しており、力成分（５６）が前記壁平面に対して垂直方向に前記壁平面から離れるように向けられている場合には、保持素子（２３０、４３０）が、ばね力（２２８、４３８）に抗して前記壁平面に対して平行に移動されない（セルフロックが生じ、角度は約４５度よりも著しく小さい）、請求項１から７までのいずれか１項記載の固定装置。
【請求項１０】
長方形の開口（６０）を有する長方形の補助プレート（５８）が設けられており、前記開口（６０）が、肉薄の壁（１８）内に設けられた開口（１６、１１６、３１６、４１６、５１６）よりも長手方向および／または横方向に幾分小さい、請求項１から９までのいずれか１項記載の固定装置（４１０）。
【請求項１１】
前記円錐ねじ（４４、１４４）と協働する、互いに対して移動可能なプレートの斜面が、円錐ねじが締めこまれた場合にはプレートがばね力に抗して互いから離れるように移動され、これに対して、円錐ねじが緩められた場合にはばね力によって互いに向かって移動されるように、配置されている、請求項１から１０までのいずれか１項記載の固定装置。
【請求項１２】
前記円錐ねじと協働する、互いに対して移動可能なプレートの斜面が円錐ねじが締めこまれた場合には、プレートがばね力に抗して互いに向かって移動され、これに対して、円錐ねじが緩められた場合にはばね力によって互いから離れるように移動されるように、配置されている、請求項１から１０までのいずれか１項記載の固定装置。
【請求項１３】
保持素子（２３０）の端部斜面（２３４）が、第１の領域（６２）内で壁平面（４３６）に関して傾斜されており、これにより、力成分（５６）が前記壁平面に対して垂直方向に壁平面から離れるように向けられている場合には、保持素子（３４）が、ばね力（４２８）に抗して、移動される（セルフロックは生じない、角度はほぼ４５度の角度）が、しかしながら、第２の領域（６４）では、セルフロックをもたらすより小さい角度（５５４）を有している、請求項１から７までのいずれか１項記載の固定装置。
【請求項１４】
異なった傾斜（４５４、５５４）を有する保持素子（３４）の２つの端部斜面（６２、６４）が、脚部（４２４）が引き出された場合には、まずセルフロックしない領域（６２）が作動され、次いでセルフロックする領域（６４）がようやく作動されるように、壁平面（４３６）に関して配置されている、請求項１３記載の固定装置。
【請求項１５】
前記固定装置が、金属ドアのように肉薄のドア、または木質キャビネットドアのように肉厚のドアに用いられるヒンジの固定装置の部分である、請求項１から１４までのいずれか１項記載の固定装置。
【請求項１６】
前記固定装置が、金属壁のような肉薄の壁または木質壁のような肉厚のドアのために用いられる把持部の部分である、請求項１から１４までのいずれか１項記載の固定装置。
【請求項１７】
前記固定装置が、金属ドアのような肉薄のドアまたは木質キャビネットドアのような肉厚のドアのために用いられる閉鎖部の部分である、請求項１から１４までのいずれか１項記載の固定装置。
【請求項１８】
前記固定装置が、第１の壁（６６０）を、金属壁（６１８）のような第２の肉薄の壁または木質壁のような第２の肉厚の壁に固定するために用いられる、頭部（６２０）を備えた装置の部分である、請求項１から１４までのいずれか１項記載の固定装置。
【請求項１９】
前記外側表面（３４）が、金具を肉薄の壁（１８）に固定するために、粗面化されているか、刻み目をつけられているか、または溝をつけられており、これにより、部分的な形状接続、および場合によっては接地がもたらされる、請求項１から１８までのいずれか１項記載の固定装置。
【請求項２０】
固定素子の斜面（６３４）が衝突する、前記肉薄の壁（６１８）に設けられた貫通部（６１６）のエッジ（６１４）が、斜面（６３４）の傾斜に適合するように面取りされており、これにより、面圧が減じられる、請求項１から１９までのいずれか１項記載の固定装置。
【請求項２１】
固定素子（５３０、６３０）が直列に配置された場合に、該固定素子の間に位置する自由空間が、留め金の作動軸（６８）のような金具装置を配置するために用いられる、請求項１から２０までのいずれか１項記載の固定装置。
【請求項２２】
セルフロックする固定素子（３０、５３０）の場合には、ねじ（４４、５４４）の円錐状に成形された領域（４０、５４０）が、金具を解除するためだけにねじ込まれる、請求項１から２１までのいずれか１項記載の固定装置。
【請求項２３】
セルフロックする固定素子（３０、５３０）の場合には、ねじ（４４、５４４）の円錐状に成形された領域（４０、５４０）が、ねじが取り付けられているか、または取り付けられていないねじ回しのような工具の形状を有している、請求項２２記載の固定装置。
【発明の詳細な説明】
【技術分野】
【０００１】
本発明は、金属薄板または木質板のような肉薄の壁または肉厚の壁に設けられた長方形の貫通部または切欠きのように、対向するエッジまたは壁を有する貫通部または凹部内に金具または他の物体を取り付けるための緊締可能な固定装置であって、固定装置が、肉薄または肉厚の壁の、一方の外面に配置され、貫通部または凹部の外縁を覆う頭部を有し、頭部から、取り付けられた位置で、前記貫通部を通って突出するか、または凹部内へ突入する脚部が延びており、脚部から、脚部の外面の方向に脚部内に形成された通路内に、ばね力に抗して、またはばね力によって、互いに対して移動可能な保持素子が突出しており、保持素子の自由端が、肉薄の壁の、他方の内面において貫通部の縁部またはエッジで脚部を遊びなしに支持するための斜面を有しているか、または前記自由端が肉厚の壁の貫通部または凹部の壁面内に進入するために傾斜して配置された尖端を有しており、脚部および保持素子が、独立した部分であり、保持素子が、有利には円錐状に成形された領域を有するねじによって、通路に沿って移動可能である固定装置に関する。
【背景技術】
【０００２】
金具または別の物体を、肉薄の壁、例えば金属薄板に設けられた、対向エッジを有する貫通部に取り付けるために用いられる緊締可能な固定装置が、国際公開第２００５／０８３２０９号パンフレットにより既に公知である（同明細書の図２６Ａ、図２６Ｂおよび２２頁段落１の対応する記載事項を参照されたい）。公知の装置では、円錐状のねじ９８によって２つの保持素子７３６が互いから押し離され、これにより、特に大きい保持力が生じる。しかしながら、この場合にねじ頭はキャビネットの内部からしかアクセス可能ではなく、これにより、隠し固定は除外される。これに相当するものを国際公開第２００５／０７１１９９号パンフレットも開示している。
【特許文献１】国際公開第２００５／０８３２０９号パンフレット
【特許文献２】国際公開第２００５／０７１１９９Ａ１号パンフレット
【発明の開示】
【発明が解決しようとする課題】
【０００３】
本発明の課題は、公知の固定装置をさらに改良し、万能に使用可能にすることである。
【課題を解決するための手段】
【０００４】
この課題は、保持素子が並列に、または、代替的に、直列に配置された、移動方向に長く延びるプレートであり、これらのプレートが一緒に、または代替的に単独で、通路壁と共に、圧縮ばねのために設けられた移動方向に延びる収容室を形成し、この収容室が、プレートが停止位置から移動された場合には縮小してばねを圧縮することにより解決される。さらに、円錐状に成形されたねじが円錐状に成形された脚部を有し、プレートがそれぞれ長手方向の一端の近傍に、ねじの円錐状の脚部と協働する第１の内傾部を有しており、この内傾部は、プレートが互いに対して停止している位置ではオフセットされているが、作業位置へ移動された場合には、互いに逆方向に動かされることにより、解決される。
【０００５】
肉薄の壁の場合に、移動方向に長く延びたプレートが、移動方向に延びる、ばねのための収容室を形成し、この収容室が、停止位置からプレートが移動された場合には縮小し、この場合にばねを圧縮することにより、固定装置をより簡単に着脱可能とすることが達成される。なぜならば、ばね圧により、長く延びたプレートはねじが緩められた場合に、特別な措置を講じる必要なく自動的に引き戻されるか、または前方へ移動されるからである。さらにプレートとばねとの組み合わせは、単一部材のように取り扱い可能であり、これにより、このような取り付け装置を単一部材として１つのユニットの形で取り付けることは容易である。
【０００６】
ねじの円錐形状部が、円錐状に成形された脚部を有していることにより、ねじは全体により短くなり、これにより、緊締可能な固定装置の構成高さを減じることができる。
【０００７】
プレートが、それぞれ長手方向の一端の近傍にねじの円錐状の脚部と協働する第１の内傾部を有し、これらの第１の内傾部が、プレートの停止位置では互いに若干オーバーラップした状態でオフセットされているが、作業位置へ移動された後には互いに逆方向に動かされるようになっていることにより、ねじの力に基づき固定装置と肉薄の壁との、または固定装置と肉厚の壁との、特に安定した結合および緊締が達成可能になる。堅固な緊締により、例えばヒンジにおいて望ましい場合があるように、金具に対して長手方向または場合によっては横方向にも、調整可能性が得られる。このことは、例えば、前述の特許文献に記載の固定装置のような別の固定装置では得られない。前述の特許文献では、脚部と貫通部との間の遊びのない形状接続的な結合が形成され、このような結合は調節可能性をもたらさない。
【０００８】
さらに、本発明による構成は、隠し組み付けが可能となる装置をもたらす。
【０００９】
例えば、ドア板をフレームから取り除くことができるように複数のヒンジが同時に解除位置にもたらされる必要がある場合には、本発明による装置は開放位置に留まるということも更に別の利点である。
【００１０】
本発明による装置の別の利点は、簡単な手段により、自動的に接地を行うことができること、すなわち、金属のヒンジまたはその他の金具部分と、金属壁との間の金属的な結合が得られることである。
【００１１】
本発明による、肉薄の壁が設けられている固定装置の改良形によれば、プレートは、それぞれ長手方向の他端の後方に、肉薄の壁内に設けられた貫通部のエッジと協働する外傾部を有している。この外傾部は、プレートが互いに対して停止している位置では、脚部の内部に位置するが、作業位置へ移動された場合には、胴部から外側へ、互いから離れるように移動する。代替的には、肉厚の壁の場合には、プレートは、それぞれ長手方向の他端には、肉厚の壁に設けられた貫通部または凹部の壁と協働する外傾部または歯列を有しており、この場合に、プレートが互いに対して停止している位置では、プレートは脚部の内部に位置するが、しかしながら、作業位置へ移動された場合には、脚部から外側へ、互いから離れるように移動する。
【００１２】
プレートは、それぞれ第２の内傾部を形成しており、この内傾部は、第１の内傾部に連続しており、これにより、両方の斜面は、ねじの円錐状の領域を収容する自由空間を形成する。これにより、特に簡単かつ安定した構成が可能になる。
【００１３】
ねじは止めねじであってもよい。このことは、所要スペースを減じ、特に固定装置のための小さい実施形態を可能にする。
【００１４】
ねじは、頭部に形成されたねじ山付き孔内に配置されてもよい。代替的には、ねじは、脚部に形成されたねじ山付き孔内に配置されてもよい。
【００１５】
本発明の改良形により、力成分が壁平面に対して垂直方向に壁平面から離れるように向けられている場合に保持素子がばね力に抗して壁平面に対して平行な方向に移動されるように、保持素子の端部斜面が壁平面に関して傾斜しており、この場合に角度がほぼ４５度であり、セルフロック現象が生じないことは有利である。代替的には、力成分が壁平面に対して垂直方向に壁平面から離れるように向けられている場合に保持素子がばね力に抗して移動されることができないように、保持素子の端部斜面が壁平面に関して傾斜していてもよい。この場合には、角度は本質的に４５度よりも小さく、セルフロック現象は所定の役割を果たす。
【００１６】
肉薄の壁に設けられた開口よりも長手方向および／または横方向に幾分小さい長方形の開口を有する長方形の補助プレートが設けられていてもよい。これにより、特にヒンジ使用時に有利であり得る調節可能性が生じる。
【００１７】
互いに対して移動可能なプレートの、円錐状ねじと協働する斜面は、円錐状ねじが締めこまれた場合にプレートがばね力に抗して互いから離れるように移動させられ、これに対して円錐状ねじが緩められた場合には、ばね力により互いに向かって移動させられるように配置されていてもよい。このことは、着脱を容易にする。
【００１８】
互いに対して移動可能なプレートの、円錐状ねじと協働する斜面は、円錐状ねじが締めこまれた場合にプレートがばね力に抗して互いに向かって移動させられ、これに対して、円錐状ねじが緩められた場合にはばね力によって互いから離れるように移動させられるように配置してもよい。これは択一肢である。
【００１９】
保持素子の端部斜面は、第１の領域では、壁平面に関して傾斜されていてもよく、これにより、保持素子の力成分が壁平面に対して垂直方向に壁平面から離れるように向けられている場合には、保持素子はばね力に抗して移動され、この場合には、セルフロックは生じずに角度はほぼ４５度となるが、第２の領域では、セルフロックをもたらすより小さい角度を有している。このことも取り付けを容易にする。なぜならば、ある程度の前組み付け可能性が生じるからである。
【００２０】
保持素子に壁平面に関して異なった傾斜を有する２つの端部斜面が配置されており、脚部が引き出された場合にまずセルフロックしない領域が作動し、次いでようやくセルフロックする領域が作動するようになっていることも好都合である。
【００２１】
固定装置は、金属ドアのような肉薄のドア、または木質ドアのような肉厚のドアのためのヒンジの部分であってよい。代替的には、固定装置は、金属壁のような肉薄の壁、または木質壁のような肉厚の壁のための把持部の部分であってもよい。また固定装置は、金属ドアのような肉薄のドア、または木質キャビネットドアのような肉厚のドアのための閉鎖部の部分であることも可能である。
【００２２】
固定装置は、第１の壁を第２の肉薄の（金属）壁または肉厚の（木質）壁に固定するために働く、頭部を備えた装置の部分であることも可能である。胴部を肉薄の壁に固定するための斜面は、部分的に形状結合が得られるように、または接地目的で働くように、粗面化されているか、刻み目をつけられているか、または溝をつけられていてもよい。
【００２３】
固定装置の改良形によれば、固定素子の斜面が衝突する、肉薄の壁に設けられた貫通部のエッジは、斜面の傾斜に適合させるために面取りされており、これにより面圧が減じられる。
【００２４】
固定素子が直列に配置されている場合には、有利には固定素子の間に位置する自由空間は、金具装置、例えば留め金の作動軸を配置するために使用することもできる。
【００２５】
セルフロックする固定素子の場合には、ねじの円錐状に成形された領域が、金具を緩めるためにだけねじ込まれる方法も可能である。この場合には、ねじの円錐状に成形された領域は、簡単なねじ回しまたは（極めて大きい力ではない場合には）ねじを取り付けられたねじ回しのような工具の形状を有していてもよい。
【００２６】
円錐状に成形された領域を有するねじの代わりに、より高い面圧が妨害にならない場合には、円柱状の簡単なねじでも十分である。
【発明を実施するための最良の形態】
【００２７】
次に、図面に示した実施例実施の形態を図面につき本発明をさら詳しく説明する。
【００２８】
図１Ａは、肉薄の壁１８内に設けられた、対向する縁部または壁１４を有する貫通部１６、または代替的に（図１３参照）、肉厚の壁１１８に設けられた、対向する壁１１４を有する凹部または貫通部１１６に、金具、例えばヒンジ１２を取り付けるために用いられる、本発明による緊締可能な固定装置１０の斜視図を示している。この場合に肉厚の壁は木質板であってもよいし、または肉薄の壁は金属板であってもよい。固定装置は、肉厚または肉薄の壁１１８、１８の一方の外面に配置され、貫通部または凹部２２、１２２の外縁を覆う頭部２０、１２０を有している。これらの頭部２０、１２０からは、取り付けられた位置で凹部内に突入するか、または貫通部を貫通して突出する脚部１２４、２４が延びている。これらの脚部２４、１２４からは、通路２６、１２６内を案内され、ばね力２８、１２８に抗して、またはばね力によって互いに対して移動可能な保持素子３０、１３０、３１、１３１が突出しており、これらの保持素子の自由端３２、１３２は傾斜面３４、または傾斜して配置された尖端１３４を有しており、これにより、脚部２４、ひいては頭部２０が、貫通部１６の他方の内面３６に設けられた縁部またはエッジ２２、１４で遊びなしに支持されるか、または、肉厚の壁１１８に設けられた凹部の壁面１３６内に尖端１３４が嵌め込まれる。
【００２９】
脚部２４または１２４、および保持素子３０または１３０は、別個の部分であり、保持素子３０、１３０は、円錐状に成形されたねじ４４、１４４によって通路２６、１２６に沿って移動可能である。図１Ｂによる分解図からわかるように（対応する図１４も参照のこと）、保持素子３０、１３０は、並列に配置される、移動方向に長く延びるプレートであり、これらのプレートは、圧縮ばね２８または１２８のための移動方向に延びる収容室３８、１３８を一緒に形成しており、これらの収容室３８、１３８は、プレート３０、１３０が停止状態から移動される場合に縮小し、これにより、図１Ｆまたは図１３に見ることができるように、ばね２８、１２８を圧縮する。
【００３０】
円錐状に成形されたねじ４４、１４４は、円錐状に成形された脚部４０、１４０を有しており、この場合に円錐角は、例えば２×４５度すなわち９０度をなすが、しかしながら、必要に応じて他の角度をなしていてもよい。プレート状の保持素子３０、１３０は、それぞれの長手方向の一端の近傍（符号１４２）に、ねじ４４、１４４の円錐状の脚部４０、１４０と協働する第１の内傾部４６、１４６を有し、これらの内傾部は、プレート３０、１３０の停止状態では、互いに若干オーバーラップした状態でオフセットされているが、作業位置へ移動された場合には、ねじの円錐面の作用下に互いに逆方向に動かされる（図１Ｄおよび図１Ｆ参照）。
【００３１】
プレートは、それぞれ長手方向の他端３２または１３２の近傍に、肉薄の壁１８のエッジ１４と協働する外傾部３４を有している。これらの外傾部３４は、プレート３０、１３０が互いに対して停止している場合には、図１Ｃおよび図１Ｄに示すように胴体部２４の通路２６の内部に位置しているが、作業位置へ移動された場合には、図１Ｅおよび図１Ｆに見ることができるように、脚部２４の通路２６から外側へ、互いから離れるように運動する。この運動はばね２８を圧縮し、これにより、ねじが緩められた場合には、ばね力により戻り方向の運動が行われ、プレートは、図１Ｅまたは図１Ｆに示される位置から図１Ｃおよび図１Ｄに示される位置へ運動し、再び通路内に姿を消す。このことは、図面に示すように、例えばヒンジとして使用される場合には、ねじ４４が緩められることより保持素子は自動的に引き戻される。したがって、この引き戻された位置に保持素子を保持し、これにより、ヒンジからのドアの取り外しを容易にするために特別な措置を講じる必要はないという利点を有する。
【００３２】
プレートまたは保持素子３０、１３０は、第２の内傾部４８または１４８をも有し、これら第２の内傾部は第１の内傾部４６、１４６に連続しており、これにより、両斜面は円錐状の領域、ここではねじ４４、１４４の円錐状の脚部４０、１４０を収容する自由空間５０、１５０を形成している。有利には、自由空間は、ねじ４４の円錐領域４０を遊びなしに収容することができるように形成されている。また並列なプレート３０の両方の貫通部３８は、図１Ｄに見ることができるように、停止位置では両方の三角形の切り込み５０が小さい共通の三角形の領域５２をまだ残しているように配置されており、この領域内に、円錐状のねじ４０の先端が進入することができる。次いでねじがさらに締めこまれると、ねじはさらに深く進入し、肉薄の壁３６の縁領域に挟まれて動かなくなるまで、両方の保持素子を互いに離すように移動させる。円錐状のねじ４０が両方の三角形の切り込みを一列にそろえた場合には最大限の移動が得られる。
【００３３】
この場合、図面に１３０、３０で示すように、止めねじは最小限のスペースを必要とし、この止めねじは、図１Ａに示した実施形態においても、図１３に見ることができる実施形態においても、それぞれの頭部２０、１２０に形成された、脚部２２６の通路２６内に開口するねじ山付き孔５２、１５２内にねじ込まれる。
【００３４】
この装置では、隠し組み付けが可能である。しかしながら、それが不要であれば、ねじは脚部に形成されたねじ山孔付き内に配置されてもよい。この可能性が図９Ａ、９Ｂに示唆されている。
【００３５】
保持素子３０の端部斜面３４は、壁平面に関して、セルフロックが生じることがないように配置することができる（肉薄の壁３６または壁の接触面を参照）。有利には、保持素子３０の端部斜面３４は、壁平面１８に関して傾斜されており（図１Ｅ、符号５４参照）、これにより、力成分５６が壁平面に対して垂直方向に壁平面から離れるように向けられている場合に、保持素子３０はばね力２８に抗して、壁平面に対して平行な方向に移動される。すなわち、図１Ｅに示した位置から、図１Ｃに示した位置へ戻る。したがって、符号５４の角度の場合には、本質的により小さい角度の場合のように、通路の内部で保持素子のセルフロックは生じない。このような場合が図９Ａおよび図９Ｂに示されている。図９Ａおよび図９Ｂでは、保持素子２３０の端部斜面２３４は壁平面１８に関して次のように傾斜されている。すなわち、力成分５６が壁平面に対して垂直方向に壁平面から離れるように向けられている場合には、セルフロックが生じるので保持素子２３０がばね２２８のばね力に抗して移動されることができないように、傾斜されている（角度２５４参照）。このようなことは、４５°よりも本質的に小さい角度２５４、例えば３０°の場合に生じる。
【００３６】
図２、図３、図４および図５では、固定装置には肉薄の壁３１８に貫通部３１６が設けられ、この場合には長方形の開口６０を有する補助プレート５８が設けられおり、開口６０は、長手方向（図３）または横方向（図２）に、肉薄の壁３１８内の開口３１６よりも幾分小さい。図４によれば、長手方向にも横方向にも両方向に貫通部６０は幾らか小さい。
【００３７】
図６Ａに見ることができるように、肉薄の壁３１８は、金具頭部と補助プレートとの間に挟み込まれており、これにより、保持素子は、肉薄の壁に設けられた貫通部の縁部で支持されるのではなく、補助プレートに設けられた幾分狭幅の開口の縁部で支持される。すなわち、金具は、肉薄の壁に設けられた開口の内部で往復するように移動することができ、これにより、例えばヒンジの場合には調節可能性が保持される。これらの種々異なった移動可能性を図５に見ることができる。ねじが締めこまれた後には、金具は固定されている。
【００３８】
図２による装置では、開口の長手方向に対して横方向の調節が可能であり、図３による装置では、横方向の調節が可能である。
【００３９】
円錐ねじ３４４と協働する斜面３４６、３４８（図６Ｂ参照）および互いに対して移動可能なプレート３３０は、円錐ねじ３４４が締めこまれた場合にはプレート３３０がばねに抗して互いから離れるように移動させられ、これに対して円錐ねじが緩められた場合にはばね力により互いに向かって移動させられるように配置されている。代替的には、反対に、プレートは、ばね力に抗して円錐ねじが締めこまれた場合に互いに向かって移動させられ、これに対して円錐ねじが緩められた場合にはばね力によって互いから離れるように移動させられてもよい。
【００４０】
図１０Ａ、図１０Ｂ、図１０Ｃおよび図１０Ｄによる実施形態では、保持素子４３０の端部斜面の第１の領域６２は、壁平面４３６に関して傾斜しており（符号４５４参照）、これにより、力成分５６が壁平面に対して垂直方向に離れるように向けられている場合には、保持素子４３０をばね４３８のばね力に抗して、例えば、図１０Ｃの位置から図１０Ｂの位置へ、移動させることができ、この場合に肉薄の壁４３６に設けられた貫通部のエッジが斜面に沿って滑り、保持素子がばね４３８の力に抗して押し込まれるようになっている。したがって、ねじ４４４の円錐部が外れるように回動された場合にも、図１０Ｂに示すように斜面の第２の領域６４に到達するまでヒンジを緩めることができる。第２の領域６４は、セルフロック５４４をもたらすより小さい角度５５４を有しており、これにより、肉薄の壁４３６から金具部材を完全に引き離すことは、付加的な圧力が外側から保持素子４３０に加えられ、固定装置の脚部に形成された通路内に保持素子が完全に進入した場合にようやく可能になる。
【００４１】
これは、肉薄の壁にヒンジを取り付ける場合、特に複数のヒンジを配電盤キャビネットドアに沿って取り付ける場合に本質的な取り付け補助であり、この場合には、まずヒンジ金具が前組み付けされる。すなわち、ドア板の当接エッジに沿った対応する開口内に挿入される。これに続いて、ヒンジ金具は、セルフロックするようになっている領域に基づき、対応するヒンジ部分を既に有するキャビネットフレームにドアが次いで挿入された場合に外れて落ちることはもはやない。両方のヒンジ部分が結合された後には、ねじの貫入により後から緊締を行うことができるので、保持素子は大きい負荷、例えば自動車ドアなどによる負荷に対して適している。
【００４２】
上述の実施形態に従った円錐ねじによるヒンジの解除によって、冒頭に挙げた特許文献の場合のように扁平キーにより引き戻される必要のあるキーにより開放される固定素子の場合よりも、引き戻そうとするクリップ素子を狭幅に構成することができる。扁平キー解除は、著しく広幅のプレート部分につながる。
【００４３】
歯列を設けられた解除キーの装置は、セルフロックによる終端位置が得られず、したがって、複数の金具素子を同時に取り付けることが問題となるという欠点を有する。
【００４４】
図１１Ａ、図１１Ｂ、図１２Ａおよび図１２Ｂによる実施形態は、肉薄の壁を別の肉薄の壁に固定するための固定素子として役立つ。この場合に、肉薄の壁は、対応して必要な寸法の長方形の貫通部を有している。この実施形態では、円錐状のねじが頭部に配置されており、これにより、図１１Ａ〜図１６までによる隠し組み付けが可能である。
【００４５】
図１７Ｂに示された、固定装置の改良形によれば、保持または固定素子６３０の斜面６３４が衝突する、肉薄の壁６１８に設けられた貫通部６１６のエッジ６１４は、斜面の傾斜に適合させるために面取りされており、これにより、面圧が減じられる。
【００４６】
固定素子５３０が連続して配置される場合には（図１７Ａ参照）、固定素子５３０の間に位置する自由空間を、金具素子、例えば、留め金の固定軸６８を配置するために使用することができる。
【００４７】
図１７Ａのようなセルフロック式固定装置では、ねじ５４４の円錐状に成形された領域５４０を、金具を解除するためにのみねじ込む方法も可能である。この場合には、ねじの円錐状に成形された領域は、工具、例えば円錐状の先端５４０を有するねじを取り付けられたねじ回しの形状を有していてもよい。
【００４８】
残留しているねじ５４４は、通路５７６の後端で支持されるばね５２８の圧力下にある固定素子５３０が、通路５２６から外れて落下することを防止するために役立つことができる。
【００４９】
図１７Ｂおよび図１７Ｃでは、ばねは通路内の出口近傍の突起で支持され、また固定素子を内側方向に押圧する。
【００５０】
本発明は、例えば、固定素子の傾斜溝内に延びるピンによって傾斜して案内されることによりクランプ作用をもたらす固定素子の場合においても使用可能である（冒頭に挙げた国際公開第２００５／０７１１９９パンフレットの図３６Ａ〜図３６Ｅ参照）。
【産業上の利用可能性】
【００５１】
本発明は、配電盤キャビネット構成物において産業上利用可能である。
【図面の簡単な説明】
【００５２】
【図１Ａ】肉薄の壁の貫通部に組み付ける前の状態でヒンジの形態の緊締可能な固定装置を示す斜視図である。
【図１Ｂ】図１Ａに示したヒンジ装置の種々異なった構成部品の分解図である。
【図１Ｃ】図１Ａによるヒンジ装置においてプレートが引き戻された状態を示す側面図である。
【図１Ｄ】図１Ｃによる装置の軸線方向断面図である。
【図１Ｅ】図１Ａによる装置においてプレートが押し出された状態を示す側面図である。
【図１Ｆ】図１Ｅによる装置の軸線方向断面図である。
【図２】補助プレートにより貫通部内で横方向調節を行うことが可能な貫通部を有する肉薄の壁の平面図である。
【図３】補助プレートが、長手方向調節のために働く類似の装置を示す図である。
【図４】横方向調節も長手方向調節も可能な装置を示す図である。
【図５】長手方向および横方向の調節可能性を説明する図である。
【図６Ａ】補助プレートが調節可能性をもたらすヒンジ装置の側面図である。
【図６Ｂ】図６Ａによる装置の軸方向断面図である。
【図７】補助プレートが緊締されていない図６Ｂによる装置を詳説するための装置拡大図である。
【図８】補助プレートが緊締されている図６Ｂによる装置を詳説するための装置拡大図である。
【図９Ａ】ばね支持された保持素子を円錐ねじによってばね圧力に抗して引き寄せることができる場合の装置の軸線方向断面図である。
【図９Ｂ】ばね支持された保持素子を円錐ねじによってばね圧力に抗して引き寄せることができる場合の装置の軸線方向断面図である。
【図１０Ａ】保持素子またはクリップ素子のばね支持されたアセンブリが前組み付けのために設けられており、セルフロック力が生じず、円錐ねじの後からの進入により素子が緊締され、例えば自動車ドアにおいて、より大きい負荷が可能となる、装置を示す図である。
【図１０Ｂ】保持素子またはクリップ素子のばね支持されたアセンブリが前組み付けのために設けられており、セルフロック力が生じず、円錐ねじの後からの進入により素子が緊締され、例えば自動車ドアにおいて、より大きい負荷が可能となる、装置を示す図である。
【図１０Ｃ】保持素子またはクリップ素子のばね支持されたアセンブリが前組み付けのために設けられており、セルフロック力が生じず、円錐ねじの後からの進入により素子が緊締され、例えば自動車ドアにおいて、より大きい負荷が可能となる、装置を示す図である。
【図１０Ｄ】保持素子またはクリップ素子のばね支持されたアセンブリが前組み付けのために設けられており、セルフロック力が生じず、円錐ねじの後からの進入により素子が緊締され、例えば自動車ドアにおいて、より大きい負荷が可能となる、装置を示す図である。
【図１１Ａ】隠し組み付けが可能なようにねじ装置が前面で得られる実施形態の側面図である。
【図１１Ｂ】隠し組み付けが可能なようにねじ装置が前面で得られる実施形態の側面図である。
【図１２Ａ】隠し組み付けが可能なようにねじ装置が前面で得られる実施形態の断面図である。
【図１２Ｂ】隠し組み付けが可能なようにねじ装置が前面で得られる実施形態の断面図である。
【図１３】肉厚の壁のために適している実施形態の断面図である。
【図１４】ねじによってばね力に抗して緊締される図１３の実施形態に対応する両方のプレートを示す斜視図である。
【図１５】プレートとばねとからなるユニット組み付け後の斜視図である。
【図１６】対応する金属部材、ここでは例えば把持部の斜視図である。
【図１７Ａ】（セルフロック式の）固定素子が連続して配置されており、固定素子の間に位置する自由空間が留め金の作動軸を配置するために用いられる固定装置の実施形態を示す図である。
【図１７Ｂ】図１７Ａに類似しているがセルフロック式の固定素子を備えていない実施形態をクランプ位置で示す図である。
【図１７Ｃ】図１７Ａに類似しているがセルフロック式の固定素子を備えていない実施形態を解除位置で示す図である。
【符号の説明】
【００５３】
１０、１１０、５１０  固定装置
１２、１１２  金具、ヒンジ
１４、１１４、５１４  エッジ、壁
１６、１１６、３１６、６１６  貫通部、凹部
１８、１１８、３１８、６１８  肉薄の壁、肉厚の壁
２０、１２０、６２０  頭部
２２、１２２  貫通部または凹部の外縁
２４、１２４、２２４、４２４  脚部
２６、１２６、５２６  通路
２８、１２８、２２８、３２８、４３８、５３８、６３８  ばね（力）
３０、１３０、２３０、３３０、４３０、５３０、６３０  保持素子
３２、１３２  自由端、長手方向の別の端部
３４、１３４、２３４、３３４、５３４、６３４  外傾部、傾斜して配置された先端
３６  肉薄の壁の内側
３８、１３８  収容室
４０、１４０、５４０  円錐状の脚部
４２、１４２  端部
４４、１４４、３４４、４４４、５４４、６４４  ねじ
４６、１４６、３４６  第１の内傾部
４８、１４８、３４８  第２の内傾部
５０、１５０  自由空間
４２、１５２、２５２  ねじ山付き孔
５４、２５４  傾斜角、端部斜面
５６  力成分
５８  補助プレート
６０  開口
６２  第１の領域
６４  第２の領域
６６  第２の壁
６８  作動軸
【図１Ａ】
2009526953.tif 000003
【図１Ｂ】
2009526953.tif 000004
【図１Ｃ】
2009526953.tif 000005
【図１Ｄ】
2009526953.tif 000006
【図１Ｅ】
2009526953.tif 000007
【図１Ｆ】
2009526953.tif 000008
【図２】
2009526953.tif 000009
【図３】
2009526953.tif 000010
【図４】
2009526953.tif 000011
【図５】
2009526953.tif 000012
【図６Ａ】
2009526953.tif 000013
【図６Ｂ】
2009526953.tif 000014
【図７】
2009526953.tif 000015
【図８】
2009526953.tif 000016
【図９Ａ】
2009526953.tif 000017
【図９Ｂ】
2009526953.tif 000018
【図１０Ａ】
2009526953.tif 000019
【図１０Ｂ】
2009526953.tif 000020
【図１０Ｃ】
2009526953.tif 000021
【図１０Ｄ】
2009526953.tif 000022
【図１１Ａ】
2009526953.tif 000023
【図１１Ｂ】
2009526953.tif 000024
【図１２Ａ】
2009526953.tif 000025
【図１２Ｂ】
2009526953.tif 000026
【図１３】
2009526953.tif 000027
【図１４】
2009526953.tif 000028
【図１５】
2009526953.tif 000029
【図１６】
2009526953.tif 000030
【図１７Ａ】
2009526953.tif 000031
【図１７Ｂ】
2009526953.tif 000032
【図１７Ｃ】
2009526953.tif 000033
【国際調査報告】
2009526953.tif 000034
2009526953.tif 000035
2009526953.tif 000036
2009526953.tif 000037